(57)【特許請求の範囲】
【請求項１】
長尺のランプユニット、導光板、反射シート、拡散シート、筐体、裏蓋より成る液晶素子用照光装置において、
筐体は合成樹脂により構成し、筐体の前面部を構成する枠の左右の隅部に屈曲弾性変形する操作リブを突出形成し、操作リブの先端部にランプユニット係止突起を形成し、
裏蓋は金属板により構成し、裏蓋裏面部から立設される周壁の隅部には切り欠き部を形成し、
裏蓋の左右両切り欠き部の間の領域は前面部、前面部に立設される側壁、裏蓋に形成される深さの極く浅い案内溝によりランプユニットを組み込む領域に形成したことを特徴とする液晶素子用照光装置。
【請求項２】
請求項１に記載される液晶素子用照光装置において、
長尺のランプユニットを構成するリフレクタはその全長に亘って断面コ字型長尺構造体より成るものであることを特徴とする液晶素子用照光装置。
【発明の詳細な説明】
【０００１】
【発明の属する技術分野】
この発明は、液晶素子用照光装置に関し、特に、液晶素子を側方から照射するエッジライト方式の液晶素子用照光装置に関する。
【０００２】
【従来の技術】
従来例を図４を参照して説明する。
図４は液晶素子を側方から照射するエッジライト方式の液晶素子用照光装置の従来例を概念的に説明する分解斜視図である。図４において、液晶素子１は長尺の冷陰極管２により照光される。この長尺の冷陰極管２は金属板より成るリフレクタ３により覆われ、放射する光を導光板４に導入集光してこれを照光する。この冷陰極管２およびリフレクタ３によりランプユニット３０が構成される。導光板４の背面には反射シート５が配置される。冷陰極管２から導光板４に導入集光された光は導光板４および反射シート５を介して放射され、導光板４の前面側に配置される拡散シート６に入射する。拡散シート６に入射した光は拡散シート６前面から一様に拡散放射される。液晶素子１は拡散シート６から放射されるこの拡散光により照光されるに到る。以上の構成において、エッジライト方式の液晶素子用照光装置は冷陰極管２、リフレクタ３、導光板４、反射シート５、拡散シート６により構成される。
【０００３】
ここで、図５は液晶素子用照光装置の筐体にランプユニット３０を固定するところを少し具体的に示した図である。照光装置を構成する部材は冷陰極管２およびリフレクタ３より成るランプユニット３０の外は記載を省略している。図５において、金属板より成る冷陰極管２を覆うリフレクタ３には舌片３１が一体的に形成され、これには貫通孔３２が穿設されている。このリフレクタ３は合成樹脂より成る照光装置の筐体７に貫通孔３２を介してネジ３４により固定される。なお、８は金属板より成る裏蓋を示す。
【０００４】
【発明が解決しようとする課題】
以上の液晶素子用照光装置は、ランプユニット３０を筐体７に対して取り付け取り外すに際して、そのリフレクタ３をネジ３４により筐体７に対して取り付け取り外すことにより実施していた。従って、リフレクタ３に対してネジ止め用の加工、即ち、リフレクタ３に舌片３１を構成し、これに貫通孔３２を穿設することその他の金属加工を施す必要がある。そして、この通りにして構成されたランプユニット３０はその形状構造に対称性を欠き、液晶素子用照光装置筐体７に対する適用箇所に依っては共通して使用することができないことにもなる。
【０００５】
この発明は、液晶を側方から照射するエッジライト方式のランプユニット３０の交換を格別の技術を必要とせずに容易に実施することができ、筐体７に対する何れの適用箇所にも共通に使用することができる液晶素子用照光装置を提供するものである。
【０００６】
【課題を解決するための手段】
請求項１：長尺のランプユニット３０、導光板４、反射シート５、拡散シート６、筐体７、裏蓋８より成る液晶素子用照光装置において、筐体７は合成樹脂により構成し、筐体の前面部７１を構成する枠の左右の隅部に屈曲弾性変形する操作リブを突出形成し、操作リブ７４の先端部にランプユニット係止突起７４２を形成し、裏蓋８は金属板により構成し、裏蓋裏面部８１から立設される周壁８２の隅部には切り欠き部８４を形成し、裏蓋８の左右両切り欠き部８４の間の領域は前面部７１、前面部７１に立設される側壁７３、裏蓋８に形成される深さの極く浅い案内溝８５によりランプユニット３０を組み込む領域に形成した液晶素子用照光装置を構成した。
【０００７】
そして、請求項２：請求項１に記載される液晶素子用照光装置において、長尺のランプユニットを構成するリフレクタはその全長に亘って断面コ字型長尺構造体より成るものである液晶素子用照光装置を構成した。
【０００８】
【発明の実施の形態】
この発明の実施の形態を図１および図２を参照して説明する。図１（ａ）は照光装置を正面から視た図、図１（ｂ）は図１（ａ）における線ｂ−ｂに沿った断面を示す図である。図２は照光装置の筐体にランプユニットを取り付け取り外すところを説明する図であり、図２（ａ）は斜視図、図２（ｂ）操作リブを説明する図である。
図１および図２を参照するに、合成樹脂より成る筐体７は、長方形の窓７２が形成された前面部７１および前面部７１を構成する上下両枠に立設される側壁７３より成る。前面部７１の４隅部には操作リブ７４が突出形成されている。７４１は操作リブ７４の先端部に形成された押圧部である。操作リブ７４の先端部には更に、ランプユニット係止突起７４２も形成されている。側壁７３に沿った左右両ランプユニット係止突起７４２の間の間隔は後で説明されるランプユニット３０の長さにほぼ等しく設定される。前面部７１の左右両枠には、操作リブ７４から僅かに離隔して取り付け部７５が突出形成されている。７５１は取り付け部７５に形成される開孔である。そして、前面部７１の上下両枠に立設される側壁７３には、２箇所に係合段部７３１が突出形成されている。そして、筐体７の窓７２を形成する前面部７１の枠にはテーパ７６が形成され、窓７２の面積は拡散シート６の表面から外側に向かって徐々に減少せしめられている。
【０００９】
筐体７は裏蓋８により裏から覆われる。この裏蓋８は金属板より成り、裏蓋裏面部８１から立設される周壁８２には係合段部７３１に対応して係合孔８２１が形成される。周壁８２には、更に、取り付け部７５に対応して裏蓋取り付け部８３が周壁８２から直角に屈曲形成されている。８３１は裏蓋取り付け部８３に形成される開孔である。周壁８２は４隅部において切り欠かれ、切り欠き部８４とされている。そして、前面部７１の上下両枠に立設される側壁７３に沿った裏蓋８の左右両切り欠き部８４の間の領域は、前面部７１、前面部７１に立設される側壁７３、裏蓋８に形成される深さの極く浅い案内溝８５によりランプユニット３０を組み込む領域を構成している。
【００１０】
図３を参照してランプユニットを説明するに、ランプユニット３０は冷陰極管２および光を反射する金属板より成るリフレクタ３より成り、冷陰極管２は保持ゴム３３によりリフレクタ３に取り付け固定される。冷陰極管２の電極端子２１はその左右両端からが外部に導出されている。即ち、左端の電極端子２１はハンダ付け部２２においてリフレクタ３に接続されると共に、右端の電極端子は保持ゴム３３内部でケーブル２３に電気接続された状態において外部に導出されている。２４はコネクタを示す。
【００１１】
以上の液晶素子用照光装置は、先の従来例と同様に、長尺のランプユニット３０、導光板４、反射シート５、拡散シート６、筐体７、裏蓋８より成る。この長尺のランプユニット３０の冷陰極管２は金属板より成るリフレクタ３により覆われ、放射する光を導光板４に導入集光してこれを照光する。導光板４の背面には反射シート５が配置される。冷陰極管２から導光板４に導入集光された光は導光板４および反射シート５を介して放射され、導光板４の前面側に配置される拡散シート６に入射する。拡散シート６に入射した光は拡散シート６前面から一様に拡散して放射される。図示されない液晶素子は、長尺のランプユニット３０から放射されてこの拡散シート６前面から一様に拡散した光により照光されるものである。
【００１２】
ここで、液晶素子用照光装置の内の導光板４、反射シート５、拡散シート６は筐体７に収容され、次いで、筐体７の裏は裏蓋８により覆われる。筐体７を裏蓋８により覆う場合、筐体７の前面部７１の上下両枠に立設される側壁７３に突出形成されている係合段部７３１に、裏蓋８の周壁８２に形成される係合孔８２１を対応させ、筐体７に対して裏蓋８を圧し込むことにより係合段部７３１が係合孔８２１に嵌合し、筐体７に対して裏蓋８が取り付けられる。筐体７に対して裏蓋８が取り付けられたところで、押圧部７４１を下向きに押圧操作し、屈曲弾性変形させた後、長尺のランプユニット３０を裏蓋８の切り欠き部８４を介して筐体７内に挿入する。この時、ランプユニット３０は、前面部７１、前面部７１に立設される側壁７３、裏蓋８に形成される深さの極く浅い案内溝８５により案内されながら組み込まれる。ランプユニット３０が全長に亘って筐体７内に挿入されたところで、押圧部７４１を下向きに押圧操作、解放して操作リブ７４を屈曲弾性変形させることによりランプユニット３０を左右のランプユニット係止突起７４２の間に位置決め固定することができる。
【００１３】
【発明の効果】
以上の通りであって、この発明に依れば、合成樹脂より成る筐体にランプユニット係止突起を形成した屈曲弾性変形する操作リブを突出形成することにより、このランプユニット係止突起を介してランプユニットの取り付け取り外しを、ネジ、接着剤その他の格別の固定部材を使用することなしに、格別の技術を必要とせずに容易に実施することができる。
そして、弾性を有する操作リブを合成樹脂より成る筐体の４隅部に形成し、リフレクタを舌片その他の形状を異形にする構成を有しない単純な断面コ字型長尺構造体より成るものとすることにより、筐体に対するランプユニットの取り付け取り外しを照光装置の左右の何れの側からでも実施することができる。
【図面の簡単な説明】
【図１】実施例を説明する図。
【図２】ランプユニットを取り付け取り外すところを説明する図。
【図３】ランプユニットを説明する図。
【図４】従来例を説明する図。
【図５】ランプユニットを固定するところの従来例を示す図。
【符号の説明】
１  液晶素子
２  冷陰極管
２１  電極端子
２２  はんだ付け部
２３  ケーブル
２４  コネクタ
３  リフレクタ
３０  ランプユニット
３１  舌片
３２  貫通孔
３３  保持ゴム
３４  ネジ
４  導光板
５  反射シート
６  拡散シート
７  筐体
７１  前面部
７２  窓
７３  側壁
７３１  係合段部
７４  操作リブ
７４１  押圧部
７４２  ランプユニット係止突起
７５  取り付け部
７５１  開孔
７６  テーパ
８  裏蓋
８１  裏蓋裏面部
８２  周壁
８２１  係合孔
８３  裏蓋取り付け部
８３１  開孔
８４  切り欠き部
８５  案内溝
【図１】
0003567272.tif 000002
【図２】
0003567272.tif 000003
【図３】
0003567272.tif 000004
【図４】
0003567272.tif 000005
【図５】
0003567272.tif 000006